(57)【要約】  本発明の課題は、包装体から消毒綿を手で摘み出す場合でも、指が触れるのは消毒綿の一方の面だけであり、他方の面には指が触れないように消毒綿が密封収納された消毒綿包装物を提供することである。その課題を解決するための本発明は、扁平状に製袋されたガスバリア性を有する包装体の内部に、消毒成分となる薬液を含浸させたシート状の消毒綿が１つずつ密封収納されてなる消毒綿包装物であって、消毒綿が２つに折り畳まれている（但し折り畳みは折り畳まれた内側の面に折り重なっていない部分が存在するように行われているものとする）ことを特徴とするものである。
2008044282.tif 000002
【特許請求の範囲】
【請求項１】
扁平状に製袋されたガスバリア性を有する包装体の内部に、消毒成分となる薬液を含浸させたシート状の消毒綿が１つずつ密封収納されてなる消毒綿包装物であって、消毒綿が２つに折り畳まれている（但し折り畳みは折り畳まれた内側の面に折り重なっていない部分が存在するように行われているものとする）ことを特徴とする消毒綿包装物。
【請求項２】
シート状の消毒綿が正方形の消毒綿であることを特徴とする請求項１記載の消毒綿包装物。
【請求項３】
正方形の消毒綿が端部から一辺の長さ（Ｌ）のＬ／５〜２Ｌ／５の範囲内の位置で折り畳まれていることを特徴とする請求項２記載の消毒綿包装物。
【請求項４】
シート状の消毒綿が長方形の消毒綿であることを特徴とする請求項１記載の消毒綿包装物。
【請求項５】
長方形の消毒綿が長辺の端部からその長さ（Ｌ）のＬ／５〜２Ｌ／５の範囲内の位置で折り畳まれていることを特徴とする請求項４記載の消毒綿包装物。
【請求項６】
重ね合わせた２枚のガスバリア性シートを袋状にガスバリア性を確保して接合することで包装体が構成されてなり、その内部に折り畳まれた消毒綿が密封収納されてなることを特徴とする請求項１記載の消毒綿包装物。
【請求項７】
第１のガスバリア性シートの表面と裏面に、第２のガスバリア性シートと第３のガスバリア性シートをそれぞれ袋状にかつ第１のガスバリア性シートから剥離可能にガスバリア性を確保して接合することで包装体が構成されてなり、第１のガスバリア性シートと第２のガスバリア性シートで形成される収容部分と、第１のガスバリア性シートと第３のガスバリア性シートで形成される収容部分に、折り畳まれた消毒綿がそれぞれ１つずつ密封収納されてなることを特徴とする請求項１記載の消毒綿包装物。
【請求項８】
消毒成分となる薬液を含浸させたシート状の消毒綿を密封収納するための包装体であって、第１のガスバリア性シートの表面と裏面に、第２のガスバリア性シートと第３のガスバリア性シートをそれぞれ袋状にかつ第１のガスバリア性シートから剥離可能にガスバリア性を確保して接合することで構成されてなり、第１のガスバリア性シートと第２のガスバリア性シートで形成される収容部分と、第１のガスバリア性シートと第３のガスバリア性シートで形成される収容部分に、消毒綿をそれぞれ１つずつ密封収納するようにしたことを特徴とする包装体。
【発明の詳細な説明】
【技術分野】
【０００１】
本発明は、包装体の内部にシート状の消毒綿が１つずつ密封収納されてなる消毒綿包装物に関する。
【背景技術】
【０００２】
従来、この種の消毒綿包装物としては、例えば、図７の（ａ）と（ｂ）にそれぞれ平面図（部分的に内部が見えるようにしてある）と断面図を示すようなものが知られている。この消毒綿包装物２１は、扁平状のガスバリア性を有する包装体２２が、重ね合わせた２枚の四角形状のガスバリア性シート２２ａの四周縁部２２ｂを互いにヒートシールするなどして接合することで構成されてなり、その内部に、エチルアルコールやイソプロピルアルコールなどの消毒成分となる薬液を含浸させた一辺が３ｃｍ×３ｃｍ〜４ｃｍ×４ｃｍの正方形の消毒綿２３が１つずつ平らに密封収納されてなる。そして消毒綿２３が必要な際には、包装体２２をその端部近傍において開封し、消毒綿２３を手やピンセットで摘み出して使用する。しかしながら、このような消毒綿包装物２１は、包装体２２から消毒綿２３を手（例えば親指と人差指）で摘み出す場合、消毒綿２３の表面と裏面の両方に指が触れることになる（図８参照）。従って、注射針を刺す部位や傷口などの患部に、消毒綿２３の表面を押し当てて拭き取り消毒を行う場合でも、裏面を押し当てて拭き取り消毒を行う場合でも、いずれの面も一部であるとはいえ、既に使用する者の指が触れていることになり、衛生面において必ずしも望ましくない。
【発明の開示】
【発明が解決しようとする課題】
【０００３】
そこで本発明は、包装体から消毒綿を手で摘み出す場合でも、指が触れるのは消毒綿の一方の面だけであり、他方の面には指が触れないように消毒綿が密封収納された消毒綿包装物を提供することを目的とする。
【課題を解決するための手段】
【０００４】
上記の点に鑑みてなされた本発明の消毒綿包装物は、請求項１記載の通り、扁平状に製袋されたガスバリア性を有する包装体の内部に、消毒成分となる薬液を含浸させたシート状の消毒綿が１つずつ密封収納されてなる消毒綿包装物であって、消毒綿が２つに折り畳まれている（但し折り畳みは折り畳まれた内側の面に折り重なっていない部分が存在するように行われているものとする）ことを特徴とする。
また、請求項２記載の消毒綿包装物は、請求項１記載の消毒綿包装物において、シート状の消毒綿が正方形の消毒綿であることを特徴とする。
また、請求項３記載の消毒綿包装物は、請求項２記載の消毒綿包装物において、正方形の消毒綿が端部から一辺の長さ（Ｌ）のＬ／５〜２Ｌ／５の範囲内の位置で折り畳まれていることを特徴とする。
また、請求項４記載の消毒綿包装物は、請求項１記載の消毒綿包装物において、シート状の消毒綿が長方形の消毒綿であることを特徴とする。
また、請求項５記載の消毒綿包装物は、請求項４記載の消毒綿包装物において、長方形の消毒綿が長辺の端部からその長さ（Ｌ）のＬ／５〜２Ｌ／５の範囲内の位置で折り畳まれていることを特徴とする。
また、請求項６記載の消毒綿包装物は、請求項１記載の消毒綿包装物において、重ね合わせた２枚のガスバリア性シートを袋状にガスバリア性を確保して接合することで包装体が構成されてなり、その内部に折り畳まれた消毒綿が密封収納されてなることを特徴とする。
また、請求項７記載の消毒綿包装物は、請求項１記載の消毒綿包装物において、第１のガスバリア性シートの表面と裏面に、第２のガスバリア性シートと第３のガスバリア性シートをそれぞれ袋状にかつ第１のガスバリア性シートから剥離可能にガスバリア性を確保して接合することで包装体が構成されてなり、第１のガスバリア性シートと第２のガスバリア性シートで形成される収容部分と、第１のガスバリア性シートと第３のガスバリア性シートで形成される収容部分に、折り畳まれた消毒綿がそれぞれ１つずつ密封収納されてなることを特徴とする。
また、本発明の包装体は、請求項８記載の通り、消毒成分となる薬液を含浸させたシート状の消毒綿を密封収納するための包装体であって、第１のガスバリア性シートの表面と裏面に、第２のガスバリア性シートと第３のガスバリア性シートをそれぞれ袋状にかつ第１のガスバリア性シートから剥離可能にガスバリア性を確保して接合することで構成されてなり、第１のガスバリア性シートと第２のガスバリア性シートで形成される収容部分と、第１のガスバリア性シートと第３のガスバリア性シートで形成される収容部分に、消毒綿をそれぞれ１つずつ密封収納するようにしたことを特徴とする。
【発明の効果】
【０００５】
本発明の消毒綿包装物は、扁平状に製袋されたガスバリア性を有する包装体の内部に、消毒成分となる薬液を含浸させたシート状の消毒綿が２つに折り畳まれて（但し折り畳みは折り畳まれた内側の面に折り重なっていない部分が存在するように行われているものとする）１つずつ密封収納されてなるものであり、包装体をその端部近傍において開封して消毒綿を手で摘み出す場合、消毒綿の折り畳まれた外側の面を摘むことにより、消毒綿に指が触れるのをその面だけとすることができる。また、消毒綿の折り畳まれた外側の面を摘んだ状態で、指が触れていない他方の面、即ち、折り畳まれた内側の面を、注射針を刺す部位や傷口などの患部に容易に押し当てることができる。従って、本発明の消毒綿包装物を使用すれば、衛生的な拭き取り消毒を確実かつ簡易に行うことができる。また、消毒綿を折り畳むことで、消毒綿を密封収納する包装体の小型化ができるのことから、消毒綿包装物のコンパクト化を図ることができる。
【図面の簡単な説明】
【０００６】
【図１】消毒綿の折り畳み例を示す概略図（平面図）である。
【図２】本発明の消毒綿包装物の第一の態様の一例の平面図（部分的に内部が見えるようにしてある）である。
【図３】その使用方法の概略図である。
【図４】分離可能に連接された複数個の消毒綿包装物を示す平面図である。
【図５】本発明の消毒綿包装物の第二の態様の一例の断面図である。
【図６】包装体から消毒綿を摘み出す際の斜視図である。
【図７】従来例の消毒綿包装物の（ａ）平面図（部分的に内部が見えるようにしてある）と（ｂ）Ａ−Ａ線断面図である。
【図８】包装体から消毒綿を手で摘み出している概略図である。
【符号の説明】
【０００７】
１    消毒綿包装物（本発明の第一の態様）
２    包装体
２ａ  ガスバリア性シート
２ｂ  四周縁部（接合部）
３    折り畳まれた消毒綿
４    開封位置目印
５    ノッチ
６    ミシン目部
１１    消毒綿包装物（本発明の第二の態様）
１２    包装体
１２ａ  第１のガスバリア性シート
１２ｂ  第２のガスバリア性シート
１２ｃ  第３のガスバリア性シート
１２ｄ  四周縁部（接合部）
１３    折り畳まれた消毒綿
２１    消毒綿包装物（従来例）
２２    包装体
２２ａ  ガスバリア性シート
２２ｂ  四周縁部（接合部）
２３    消毒綿
【発明を実施するための最良の形態】
【０００８】
以下、本発明の消毒綿包装物を図面を参酌しながら説明するが、本発明の消毒綿包装物は以下の説明に限定して解釈されるものではない。【０００９】
本発明の消毒綿包装物において、扁平状に製袋されたガスバリア性を有する包装体の内部に密封収納される、エチルアルコールやイソプロピルアルコールなどの消毒成分となる薬液を含浸させたシート状の消毒綿は、２つに折り畳まれ、そして折り畳まれた内側の面に折り重なっていない部分が存在するものである。シート状の消毒綿は、正方形や長方形を含む多角形、円形、楕円形などであってよい。消毒綿が正方形の場合、消毒綿は端部から一辺の長さ（Ｌ）のＬ／５〜２Ｌ／５の範囲内の位置で折り畳まれることが望ましい。また、消毒綿が長方形の場合、消毒綿は長辺の端部からその長さ（Ｌ）のＬ／５〜２Ｌ／５の範囲内の位置で折り畳まれることが望ましい。消毒綿が正方形の場合の、端部から一辺の長さ（Ｌ）のＬ／５の位置で折り畳まれた消毒綿と２Ｌ／５の位置で折り畳まれた消毒綿を、それぞれ図１の（ａ）と（ｂ）に示す。また、消毒綿が長方形の場合の、長辺の端部からその長さ（Ｌ）のＬ／５の位置で折り畳まれた消毒綿を、図１の（ｃ）に示す（左側が折り畳む前の状態の平面図であり右側が折り畳んだ後の状態の平面図である）。なお、本発明におけるシート状の消毒綿に使用される基材は、脱脂綿などの天然素材から製造されたものが好適に例示されるが、化学繊維などの人工素材から製造されたものであってもよい。【００１０】
図２は、本発明の消毒綿包装物の第一の態様の一例の平面図（部分的に内部が見えるようにしてある）である。この消毒綿包装物１は、重ね合わせた２枚の四角形状のガスバリア性シート２ａの四周縁部２ｂを、自体公知の方法で、互いにヒートシールするなどして接合することで構成されてなる扁平状のガスバリア性を有する包装体２に、端部から一辺の長さ（Ｌ）のＬ／５の位置で折り畳まれた正方形の消毒綿３が密封収納されてなる。ガスバリア性シート２ａは、例えば、エチルアルコールやイソプロピルアルコールなどの消毒成分となる薬液の揮散を抑制することができ、少なくとも一方の面がヒートシール性を有するものであればどのようなものであってもよく、具体的には、アルミ箔の一方の面（包装体の内側となる面）にヒートシール性を有するポリエチレンフィルムなどの合成樹脂フィルムを、他方の面（包装体の外側となる面）に紙を積層した３層構造のものが例示される。【００１１】
図３は、消毒綿包装物１の包装体２から消毒綿３を手で摘み出し、傷口などの患部に押し当てて拭き取り消毒に使用する方法の概略図である。消毒綿包装物１においては、包装体２を端部近傍において開封し、消毒綿３を手で摘み出す際、消毒綿３の折り畳まれた外側の面を摘むことにより、消毒綿に指が触れるのをその面だけとすることができる（図３ａ）。なお、包装体２の端部近傍を開封することで、消毒綿３の折り畳まれた外側の面を確実に摘むことができるように、包装体２の少なくとも一方の面には、包装体２の四周縁部のうちの内部に密封収納されている消毒綿３の折り畳まれた辺が位置付けられている側の周縁部の端部近傍を開封するための目印となる開封位置目印を印刷などによって設けたり（図２の符号４）、ノッチを設けたり（図２の符号５）することが望ましい。次に、消毒綿３の折り畳まれた外側の面を摘んだ状態で、指が触れていない他方の面、即ち、折り畳まれた内側の面の折り重なっていない部分を、傷口などの患部に押し当てる（図３ｂ）。続いて、消毒綿３の折り畳まれた内側の面の患部に押し当てた側の部分から徐々にその反対側の部分にかけてを患部に押し当てるようにし（図３ｃ）、最後に、消毒綿３の全体を上方より指で患部に押さえ込めば、消毒綿３の折り畳まれた内側の面を、拡がりを持たせて患部に押し当てることができる（図３ｄ）。消毒綿が正方形の場合、消毒綿を折り畳む位置の上限が端部から一辺の長さ（Ｌ）の２Ｌ／５が望ましい理由は、２Ｌ／５よりも内側で折り畳むと、消毒綿の折り畳まれた内側の面の折り重なっていない部分が少なくなり（Ｌ／２の位置で折り畳むと当該部分は存在しないことになる）、上記の操作が困難乃至できなくなる恐れがあるからである。なお、消毒綿を折り畳む位置の下限が端部から一辺の長さ（Ｌ）のＬ／５が望ましい理由は、Ｌ／５よりも外側で折り畳むと、折り畳まれた外側の面を摘みにくくなるといった問題や、その製造が困難になるといった問題を生じる恐れがあるからである（消毒綿が長方形の場合の望ましい折り畳み位置も上記の理由と同じである）。【００１２】
なお、本発明の第一の態様の消毒綿包装物は、例えば、重ね合わせた２枚の四角形状のガスバリア性シートの三周縁部を互いにヒートシールするなどして接合した後、接合していない周縁部から内部に、所定の位置で折り畳まれた消毒綿を挿入するとともに、所定量のエチルアルコールやイソプロピルアルコールなどの消毒成分となる薬液を添加し、接合していない周縁部を接合することにより製造することができる。【００１３】
また、本発明の第一の態様の消毒綿包装物は、例えば、製造・販売時には、図４に示すように複数個の消毒綿包装物１をミシン目部６を介して分離可能に連接させておき、使用時に順次分離して使用するようにしてもよい。【００１４】
図５は、本発明の消毒綿包装物の第二の態様の一例の断面図である。この消毒綿包装物１１は、四角形状の第１のガスバリア性シート１２ａの表面と裏面に、同じく四角形状の第２のガスバリア性シート１２ｂと第３のガスバリア性シート１２ｃを重ね合わせ、重ね合わせた３枚のガスバリア性シートの四周縁部１２ｄを、自体公知の方法（イージーピール法など）で、第２のガスバリア性シート１２ｂと第３のガスバリア性シート１２ｃのそれぞれが、第１のガスバリア性シート１２ａから剥離可能にガスバリア性を確保してヒートシールするなどして接合することで包装体１２が構成されてなり、第１のガスバリア性シート１２ａと第２のガスバリア性シート１２ｂで形成される収容部分と、第１のガスバリア性シート１２ａと第３のガスバリア性シート１２ｃで形成される収容部分に、端部から一辺の長さ（Ｌ）のＬ／５の位置で折り畳まれた正方形の消毒綿１３がそれぞれ１つずつ密封収納されてなる。消毒綿１３を、折り畳み線を境にして生じる２つの折り畳み片のうちの小さい方の折り畳み片が第１のガスバリア性シート１２ａに面するように収納してあるのは、このように収納することで、例えば、小さい方の折り畳み片に親指をあて、大きい方の折り畳み片に人差指をあてて消毒綿１３を容易に摘み出すことができるからである。第１のガスバリア性シート１２ａは、例えば、エチルアルコールやイソプロピルアルコールなどの消毒成分となる薬液の揮散を抑制することができ、両面がヒートシール性を有するものであればどのようなものであってもよく、具体的には、アルミ箔の両面にヒートシール性を有するポリエチレンフィルムなどの合成樹脂フィルムを積層した３層構造のものが例示される。第２のガスバリア性シート１２ｂと第３のガスバリア性シート１２ｃは、例えば、エチルアルコールやイソプロピルアルコールなどの消毒成分となる薬液の揮散を抑制することができ、少なくとも一方の面がヒートシール性を有するものであればどのようなものであってもよく、具体的には、アルミ箔の一方の面（包装体の内側となる面）にヒートシール性を有するポリエチレンフィルムなどの合成樹脂フィルムを、他方の面（包装体の外側となる面）に紙を積層した３層構造のものが例示される。【００１５】
図６は、消毒綿包装物１１の包装体１２から消毒綿１３を摘み出す際の斜視図である。消毒綿１３が必要な際には、包装体１２の第１のガスバリア性シート１２ａから第２のガスバリア性シート１２ｂを剥離し、消毒綿１３をその折り畳まれた外側の面を摘んで摘み出す。包装体１２から消毒綿１３を摘み出した後、第２のガスバリア性シート１２ｂは、第１のガスバリア性シート１２ａから完全に剥離して除去することが、第１のガスバリア性シート１２ａと第３のガスバリア性シート（第１のガスバリア性シート１２ａの背部に位置するため図略）で形成される収容部分に密封収納された消毒綿（同）を使用するまでの間の外観上や衛生上の観点から望ましい（従って第１のガスバリア性シート１２ａと第２のガスバリア性シート１２ｂの接合方法は第１のガスバリア性シート１２ａから第２のガスバリア性シート１２ｂを完全に剥離して除去することができるようなものであることが必然的に望ましい）。摘み出した消毒綿１３を傷口などの患部の拭き取り消毒に使用する方法は、図３の（ｂ）〜（ｄ）に示す通りである。さらに消毒綿が必要な場合には、第１のガスバリア性シート１２ａから図略の第３のガスバリア性シートを剥離し、図略の消毒綿を摘み出して使用する。【００１６】
消毒綿包装物１１は、３枚のガスバリア性シートで２つの消毒綿を密封収納しているので、２枚のガスバリア性シートで１つの消毒綿を密封収納しているものよりも、包装体廃棄量を削減することができる。【００１７】
なお、本発明の第二の態様の消毒綿包装物においては、第１のガスバリア性シートから第２のガスバリア性シートや第３のガスバリア性シートを部分的に剥離した段階でも、消毒綿の折り畳まれた外側の面を確実に摘むことができるように、第２のガスバリア性シートや第３のガスバリア性シートの剥離方向を定めた上で、その方向に即して消毒綿を密封収納することが望ましい。
【産業上の利用可能性】
【００１８】
本発明は、包装体から消毒綿を手で摘み出す場合でも、指が触れるのは消毒綿の一方の面だけであり、他方の面には指が触れないように消毒綿が密封収納された消毒綿包装物を提供することができる点において産業上の利用可能性を有する。
【図１】
2008044282.tif 000003
【図２】
2008044282.tif 000004
【図３】
2008044282.tif 000005
【図４】
2008044282.tif 000006
【図５】
2008044282.tif 000007
【図６】
2008044282.tif 000008
【図７】
2008044282.tif 000009
【図８】
2008044282.tif 000010
【国際調査報告】
2008044282.tif 000011
2008044282.tif 000012
2008044282.tif 000013
2008044282.tif 000014
2008044282.tif 000015
2008044282.tif 000016